(57)【要約】【課題】引力とは何か。ビッグバンをおこした場の引力はいくらか。もし、宇宙の素粒子の中で原子に成ることができた物が4％であり、96％がダークマターであるとするなら、陽子のラブの集団の爆発により、どのように原子はできたか。【解決手段】引力は、1公転で作る磁気の光子のエネルギーです。ビッグバンをおこした陽子のラブの引力は、1.164×10−31J×ビッグバンの時のA＝1.164×10−31J×3.090×1020＝3.597×10−11J、です。陽子のラブ集団の引力は、陽子のラブの引力×陽子のラブ集団の数＝3.597×10−11J×2.674×1079個＝9.618×1068J、です。陽子のラブの集団が爆発したとき、原子ができるのは、陽子のラブと電子のラブが衝突した数です。その他の素粒子はダークマターに成る。【選択図】図１
2017005933.tif 000002
【特許請求の範囲】
【請求項１】
１．    ビッグバンをおこすための必要条件は何か。
・ビッグバンをおこした陽子のラブの自転軌道の比重はいくらか。
ビッグバンをおこした陽子のラブの自転軌道の比重は、1.3×1084です。
地表の陽子のラブの自転軌道の比重は、4.402×1022です。
ビッグバンをおこした陽子のラブの自転軌道の比重は、地表の陽子のラブの自転軌道の比重の、1.3×1084÷(4.402×1022)＝2.953×1061倍、です。
この事については、2015年5月1日に提出した、特願2015−093867の「請求項3」に記した。
A=3.090×1020の場の陽子のラブと電子のラブの自転軌道の比重と地表の陽子のラブと電子のラブの自転軌道の比重
表11
2017005933.tif 000013
陽子のラブの自転軌道の比重の比
表12
2017005933.tif 000014
参考
地表の陽子のラブの公転軌道の比重と電子のラブの公転軌道の比重はいくらか。
地表の陽子のラブの公転軌道は5.764×10−14mです。陽子のラブの質量は1.67265×10−27Kgです。
地表の陽子のラブの公転軌道の体積は、4/3×π(5.764×10−12cm÷2)3＝4/3×π×(2.882×10−12cm)3＝4/3×π×23.94×10−36cm3＝1.002×10−34 cm3、です。
地表の陽子のラブの公転軌道の比重は、1.67265×10−24g÷(1.002×10−34 cm3)＝1.669×1010、です。
地表の電子のラブの公転軌道は1.058×10−10mです。電子のラブの質量は9.1095×10−31Kgです。
地表の電子のラブの公転軌道の体積は、4/3×π(1.058×10−8cm÷2)3＝4/3×π×(5.290×10−9cm)3＝4/3×π×148.0×10−27 cm3＝6.196×10−25 cm3
地表の電子のラブの公転軌道の比重は、質量÷体積＝9.1095×10−28g÷(6.196×10−25 cm3)＝1.470×10−3、です。
この事を表に示す。
地表の陽子のラブと地表の電子のラブの公転軌道の比重
表13
2017005933.tif 000015
・ビッグバンをおこした場の引力はいくらか。
引力とは電子が1秒間に作り出す磁気の光子の軌道エネルギーです。この磁気の光子の軌道エネルギーは一定です。10−31Jmです。
A=3.090×1020の場合。
電子のラブの自転軌道＝地表の電子のラブの自転軌道÷A＝4.175×10−18m÷(3.090×1020)＝1.351×10−38m
電子のラブのエネルギー＝地表の電子のラブのエネルギー×A＝8.187×10−14J×3.090×1020＝2.530×107J
電子のラブが1秒間に作るエネルギー＝3.083×10−33Jm÷自転軌道＝3.083×10−33Jm÷(1.351×10−38m)＝2.282×105J
電子が1秒間に作り出す磁気の光子の軌道エネルギー＝電子のラブが1秒間に作るエネルギー×電子のラブの自転軌道＝2.282×105J×1.351×10−38m＝3.083×10−33Jm
ここで問題が発生しました。
A=3.090×1020の場合に於いて、電子が1秒間に作り出す磁気の光子の軌道エネルギーは3.083×10−33Jmです。これは地表の場合とほぼ同じです。
もしかしたら、引力は電子が1秒間に作り出す磁気の光子の軌道エネルギーではないのかもしれない。
○再度引力について考える。
【請求項２】
引力とは何か。
2005年5月10日に提出した、特願2005−166134の「請求項13」で、次のように記した。
万有引力定数は6.672×10−11Nmm/kg2ですから、1000gでできる万有引力は(6.672×10−11)1/2J=8.16×10−6Jです。1000gには、1000÷12×6.022×1023個＝5×1025個の電子があります。1個の電子でできる万有引力は、8.16×10−6J÷(5×1025個)＝1.63×10−31Jです。
2005年6月10日に提出した、特願2005−198056「中性子と素粒子２」では、ボーア磁子9.274×10−24J/T、核磁子5.0508×10−27J/Tから導き出された、電子のラブによってできた磁気の光子のエネルギーと運動量、陽子のラブによってできた磁気の光子のエネルギーと運動量の表では、軌道1mにおける、磁気の光子のエネルギー＝万有引力＝9.274×10−32Jm÷1m＝9.274×10−32J。
それで、万有引力の式をもう1度考察する。
万有引力定数＝6.672×10−11Nm2/Kg2
万有引力定数は6.672×10−11Nｍ2/Kg2ですから、1000ｇでできる万有引力は、（6.672×10−11 Nｍ2/Kg2）1/2=8.16×10−6 Nｍ/Kgです。1000ｇには、1000÷12×6.022×1023個＝5×1025個の原子があります。アボガドロ数で算出しています。
1個の原子でできる万有引力は、8.16×10−6Nm÷（5×1025個）＝1.63×10−31Nm=1.63×10−31Jです。
この式によって、1個の原子でできる万有引力は、1.63×10−31Jです。
私はいままで、引力は電子が1秒間に作り出す磁気の光子の軌道エネルギーであると考えてきたが、これは間違えです。
1個の原子でできる万有引力は、1公転で作る磁気の光子のエネルギーです。
この事を表に示す。
表14
2017005933.tif 000016
【請求項３】
1個の原子でできる万有引力は、1.63×10−31Jです。これはどのようなエネルギーであるか。
・ボーア磁子は9.274×10−24Jです。これは、7.96×107公転によりできた磁気の光子のエネルギーです。
1公転でできる磁気の光子のエネルギーは、9.274×10−24J÷(7.96×107公転)＝1.165×10−31J、です。
即ち、1個の原子でできる万有引力は、1.63×10−31Jです。これは、電子のラブが1公転で作る磁気の光子のエネルギーです。
1公転には磁気の光子が7.96×107個存在します。
それで、磁気の光子1個のエネルギーは、1.165×10−31J÷(7.96×107個)＝1.464×10−39J、です。
・核磁子は5.05×10−27Jです。これは、4.34×104公転によりできた磁気の光子のエネルギーです。
1公転でできる磁気の光子のエネルギーは、5.05×10−27J÷(4.34×104公転)＝1.164×10−31J、です。
即ち、1個の原子でできる万有引力は、1.164×10−31Jです。これは、陽子のラブが1公転で作る磁気の光子のエネルギーです。
1公転には磁気の光子が4.34×104個存在します。
それで、磁気の光子1個のエネルギーは、1.164×10−31J÷(4.34×104個)＝2.682×10−36J、です。
万有引力になる磁気の光子は、原子の外側の電子のラブが作る磁気の光子です。
この事をまとめて表に示す。
ボーア磁子から算出した電子のラブが1公転で作る引力に成る磁気の光子のエネルギーと核磁子から算出した陽子のラブが1公転で作る引力に成る磁気の光子のエネルギー
表15
2017005933.tif 000017
理解できた事。
1．万有引力は、原子の外側の磁気の光子です。
2．万有引力は、電子のラブが1公転で作る磁気の光子のエネルギーで、ボーア磁子÷公転数＝9.274×10−24J÷(7.96×107公転)＝1.165×10−31J、です。
3．磁気の光子1個のエネルギーは、1.165×10−31J÷(7.96×107個)＝1.464×10−39J、です。
4．陽子のラブが作る引力は１公転で作る磁気の光子のエネルギーで、核磁子÷公転数＝5.05×10−27J÷(4.34×104公転)＝1.164×10−31J、です。
5．原子では電子のラブが作る引力と陽子のラブが作る引力は、共に1.165×10−31Jであり、等しい。等しい引力で引き合っている。
【請求項４】
ビッグバンをおこした陽子のラブの引力と陽子のラブの集団の引力はいくらか。
陽子のラブが1公転で作る磁気の光子のネルギー(引力)は、地表で、1.164×10−31Jです。
それで、ビッグバンをおこした陽子のラブの引力は、1.164×10−31J×ビッグバンの時のA＝1.164×10−31J×3.090×1020＝3.597×10−11J、です。
陽子のラブ集団の引力は、陽子のラブの引力×陽子のラブ集団の数＝3.597×10−11J×2.674×1079個＝9.618×1068J、です。
2011年6月23日に提出した、特願2011−139785に記したように、軌道エネルギーは素粒子の表面の数×素粒子が1秒間に作る光子のエネルギーであると考える場合。
・素粒子の表面の数はいくらか。
4π/3×r3＝2.674×1079個。    ｒ3＝2.674×1079個÷4π/3＝6.3871×1078。    ｒ＝6.3871/3×1026＝1.855×1026(個)
素粒子の表面の数＝4πｒ2=4π(1.855×1026個)2＝4.322×1053個
素粒子の表面の数は4.322×1053個です。
陽子のラブ集団の表面の数は、4.322×1053個です。
それで、球体の表面の陽子のラブが作ったビッグバンをおこした陽子のラブの引力＝陽子のラブ集団の表面の数×ビッグバンをおこした陽子のラブの引力＝4.322×1053個×3.597×10−11J＝1.555×1043J、です。
ビッグバンをおこした陽子のラブの引力と陽子のラブの集団の引力と陽子のラブの集団の表面の引力
表16
2017005933.tif 000018
【請求項５】
放出した電磁気は1.657×10−18Jである場合、原子数はいくらか。
2010年12月2日に提出した、特願2010−269415に於いて、放出した電磁気は1.657×10−18Jであり、原子数は2.674×1079個であると次のように記した。
(電磁場の電磁気が集まった大きさは、電磁気の軌道×総合電磁気数1/3＝5.5×107mで一定ですから、この式より原子数を求める。
電磁気の軌道×総合電磁気数1/3＝5.5×107m
総合電磁気数1/3＝5.5×107m÷電磁気の軌道＝5.51×107m÷（4.648×10-62÷a2m）=5.51×107m÷｛4.648×10-62÷（1.657×10-18J）2m｝＝5.51×107m÷（1.693×10-26m）=3.255×1033
総合電磁気数＝（3.255×1033）3＝3.449×10100（個）
総合電磁気数＝1.290×1021×できる原子数＝3.449×10100個
原子数＝3.449×10100個÷（1.290×1021）＝2.674×1079個
原子数は2.674×1079個であった)
今回は、できる宇宙の原子数＝1.0765×1079×できる電子のラブのエネルギー6、の式により求める。(この式は2009年9月19日に提出した、特願2009−218192に記した。)
放出した電磁気は1.657×10−18Jである場合、できる電子のラブのエネルギー＝放出した電磁気×電子のラブの電磁気数＝1.657×10−18J×7.0225×1017個＝1.164J、です。
できる宇宙の原子数＝1.0765×1079×できる電子のラブのエネルギー6＝1.0765×1079×1.1646＝1.0765×1079×2.487＝2.678×1079
できる宇宙の原子数は、2.678×1079個です。
これは、特願2010−269415に於いて求めた原子数とほぼ同じであるので、原子数は2.674×1079個とする。
【請求項６】
ビッグバンをおこしたときの陽子のラブの集団の体積と比重はいくらか。
・ビッグバンをおこしたときの陽子のラブの集団の総合質量はいくらか
ビッグバンをおこしたときの陽子のラブの集団の総合質量＝陽子のラブの質量×陽子のラブの総数＝1.67262×10−24g×2.674×1079個＝4.473×1055ｇ
・ビッグバンをおこしたときの陽子のラブの集団の体積と比重はいくらか。
半径にr個の陽子のラブが存在するとする。
4/3×πｒ3個＝2.674×1079個
ｒ3個＝2.674×1079個÷(4/3×π)＝6.387×1078
r＝(6.387×1078)1/3=1.855×1026
半径に1.855×1026個の陽子のラブが存在する。
半径の長さ＝陽子のラブの自転軌道×半径の陽子のラブの数＝1.350×10−38m×1.855×1026個＝2.504×10−12ｍ＝2.504×10−10cm
陽子のラブの集団の体積＝4/3×π(2.504×10−10cm)3＝4/3×π×1.570×10−29 cm3＝6.573×10−29 cm3
陽子のラブの集団の比重＝陽子のラブの集団の総合質量÷陽子のラブの集団の体積＝4.473×1055ｇ÷(6.573×10−29 cm3)＝6.805×1083
ビッグバンをおこしたときの陽子のラブの集団の体積は6.573×10−29 cm3で、比重は6.805×1083、です。
これは陽子のラブの比重とほぼ等しい
まとめて表に示す。
ビッグバンの時の陽子のラブの集団の様子
表17
2017005933.tif 000019
この事により理解できる事
1．陽子のラブの集団の引力は9.618×1068Jに成り、ビッグバンがおきた。
2．陽子のラブの集団の比重は6.805×1083に成り、ビッグバンがおきた。
【請求項７】
質量を作る場の必要条件は何か。
質量を作る場は最も自転軌道の比重が大きい場です。
質量を作る場の必要条件は陽子のラブの自転軌道の比重が1.300×1084であることです。
質量を作る場の必要条件は電子のラブの自転軌道の比重が7.078×1080であることです。
質量を作る場の必要条件はA=3.090×1020の場で、陽子のラブのエネルギーが4.645×1010Jであることです。
質量を作る場の必要条件はA=3.090×1020の場で、電子のラブのエネルギーが2.530×107Jであることです。
【請求項８】
どうしてビッグバンは起きたか。
質量ができたからビッグバンは起きた。
比重が大きく成り、その比重を保ちきれなくなり爆発した。
陽子のラブの自転比重が1.3×1084となり、この比重を保ちきれなくなったので、爆発した。
陽子のラブの集団の比重が6.805×1083となり、この比重を保ちきれなくなったので、爆発した。
【請求項９】
ビッグバンをおこした場の引力はいくらか。地表の引力の何倍か。
地表では、電子のラブが1公転で作る磁気の光子のエネルギーは、ボーア磁子÷公転数＝9.274×10−24J÷(7.96×107公転)＝1.165×10−31J、です。
このエネルギーが万有引力です。
ビッグバンをおこした場のAは、aJ=1.657×10−18Jの場合、A=3.090×1020ですから、電子のラブが7.96×107回の自転で作る磁気の光子のエネルギーは、
地表のエネルギー×3.090×1020＝1.165×10−31J×3.090×1020＝3.600×10ー11J、です。
ビッグバンをおこした場の電子のラブが作る磁気の光子のエネルギーは3.600×10ー11Jです。
中央の陽子のラブの集団の陽子のラブが1公転で作る磁気の光子のエネルギーは、核磁子÷公転数×A=5.05×10−27J÷(4.34×104公転)×3.090×1020＝1.164×10−31J×3.090×1020＝3.597×10−11J、です。
ビッグバンをおこした場の引力は、地表の引力の、3.597×10−11J÷(1.165×10−31J)＝3.090×1020倍、です。
1原子と1原子の間の引力は、1原子でできる磁気の光子のエネルギー2÷1原子の直径2＝1電子のラブが作る引力になる磁気の光子のエネルギー2÷1原子の直径2、です。
地表の原子と原子の間の引力＝1原子でできる引力のエネルギー2÷電子のラブの公転軌道2＝(1.165×10−31J)2÷(1.058×10−10m)2＝1.212×10−42J/m 、です。
ビッグバンの以前、A=3.090×1020の場では、陽子のラブと陽子のラブの間の引力は、陽子のラブが作る引力のエネルギー2÷陽子のラブの自転軌道2＝(1.165×10−31J×3.090×1020)2÷｛地表の陽子のラブの自転軌道÷(3.090×1020)｝2＝(1.165×10−31J×3.090×1020)2÷｛4.18×10−18m÷(3.090×1020)｝2＝(3.600×10−11)2÷(1.353×10−38m)2＝1.296×10−21J÷(1.831×10−76m)＝7.078×1054J/m、です。
A=3.090×1020の場の陽子のラブと陽子のラブの間の引力÷地表の原子と原子の間の引力＝7.078×1054J/m÷(1.212×10−42J/m)＝5.840×1096倍
A=3.090×1020の場の陽子のラブと陽子のラブの間の引力は地表の原子と原子の間の引力の5.840×1096倍です。
ビッグバンをおこした場の陽子のラブの引力は3.597×1011Jです。陽子のラブと陽子のラブの間の引力は7.067×1054J/mです。
地表の引力は1.165×10−31Jです。地表の1原子と1原子の間の引力は1.283×10−52J/m
ビッグバンをおこした場の引力は、地表の引力の、3.090×1020倍です。
地表の原子と原子の間の引力は、1.212×10−42J/mです。
ビッグバンをおこした場の陽子のラブと陽子のラブの間の引力は、7.078×1054J/mです。
ビッグバンをおこした場の陽子のラブと陽子のラブの間の引力は地表の原子と原子の間の引力の、5.840×1096倍です。
この事を表に示す。
地表の1原子と1原子の間の引力とビッグバンをおこした場の陽子のラブと陽子のラブの間の引力の比
表18
2017005933.tif 000020
この事により理解できる事
1．Aの場の万有引力定数に成る引力は、1.165×10−31J×Aです。
2．ビッグバンをおこした場の陽子のラブと陽子のラブの間の引力は地表の1原子と1原子の間の引力の5.840×1096倍です。
3．ビッグバンをおこした場の陽子のラブと陽子のラブの間の引力が地表の1原子と1原子の間の引力の5.840×1096倍であることにより、爆発した。
4．陽子のラブと陽子のラブの間の引力が7.078×1054J/mであることにより、爆発した。
【請求項１０】
もし、宇宙の素粒子の中で原子に成ることができた物が4％であり、96％がダークマターであるとするなら、陽子のラブの集団の爆発により、どのように原子はできたか。
ビッグバンの以前、陽子のラブの集団ができた場の様子は、まるで太陽圏のようであった。中央に陽子のラブの集団があり、それを電子のラブの集団が地球のように回転していた。
この事により、陽子のラブの集団が爆発したとき、原子ができるのは、陽子のラブと電子のラブが衝突した数です。
・陽子のラブの集団の立方体の1辺の長さはいくらか。
陽子のラブの集団の立方体の1辺の長さ＝陽子のラブの数1/3×陽子のラブの自転軌道＝(2.674×1079個)1/3×1.350×10−38m＝(26.74×1078個)1/3×1.350×10−38m＝2.990×1026個×1.350×10−38m＝4.037×10−12m
陽子のラブの集団の立方体の1辺の長さは、4.037×10−12mです。
・電子のラブの集団の立方体の1辺の長さはいくらか。
電子のラブの集団の立方体の1辺の長さ＝電子のラブの数1/3×電子のラブの自転軌道＝(2.674×1079個)1/3×1.350×10−38m＝(26.74×1078個)1/3×1.350×10−38m＝2.990×1026個×1.350×10−38m＝4.037×10−12m
電子のラブの集団の立方体の1辺の長さは、4.037×10−12mです。
・陽子のラブの集団の球体の直径はいくらか。
半径ｒにr個の陽子のラブが存在するとする。
4/3×πr3＝2.674×1079個
r3＝2.674×1079個÷(4/3×π)＝6.387×1078個
ｒ＝1.855×1026個
直径の陽子のラブの数＝1.855×1026個×2＝3.710×1026個
陽子のラブの集団の球体の直径＝半径に存在する陽子のラブの数×2×陽子のラブの自転軌道＝1.855×1026個×2×1.350×10−38m＝5.009×10−12m
電子のラブの集団の球体の直径＝半径に存在する電子のラブの数×2×電子のラブの自転軌道＝1.855×1026個×2×1.350×10−38m＝5.009×10−12m
陽子のラブの集団の立方体の1辺の長さと陽子のラブの集団の球体の直径
表19
2017005933.tif 000021
・陽子のラブの集団と電子のラブの集団の間の距離はいくらか。
陽子のラブの集団の立方体の1辺の長さ＝電子のラブの集団の立方体の1辺の長さ＝4.037×10−12mとする場合。
陽子のラブの集団の立方体の1辺の長さ÷2＝4.037×10−12m÷2＝2.019×10−12m
陽子のラブの集団と電子のラブの集団の間の距離＝陽子のラブの集団の1/2×1836＝2.019×10−12m×1836＝3.707×10−9m
陽子のラブの集団と電子のラブの集団の間の距離は、3.707×10−9mです。
・陽子のラブの集団と電子のラブの集団の間の距離は、3.707×10−9mで、電子のラブの集団の大きさは4.037×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。
・半径3.707×10−9mの球体の表面積に陽子のラブは飛散した。そのうち4％の表面積に当たったものが原子に成った。4％の表面積はいくらか。
半径3.707×10−9mの球体の表面積＝4π×(3.707×10−9m)2＝1.726×10−16m2
半径3.707×10−9mの球体の表面積×0.04＝4π×(3.707×10−9m)2×0.04＝4π×13.74×10−18m2×0.04＝6.903×10−18 m2
半径3.707×10−9mの球体の表面積の内6.903×10−18 m2に当たった陽子のラブが電子のラブと衝突し、原子に成った。
・6.903×10−18 m2の長さはいくらか。
6.903×10−18 m2の長さは、(6.903×10−18 m2)1/2=2.627×10-9m、です。
その場所は、電子のラブの集団が存在していた場所です。
電子のラブの集団の立方体の1辺の長さ＝4.037×10−12mですから、その2.627×10-9m÷(4.037×10−12m)＝6.508×102倍の長さです。
即ち、電子のラブの集団の大きさは、6.508×102倍に拡大し、それに、陽子のラブは衝突した。
・陽子のラブの集団と電子のラブの集団の間の距離はいくらか。
陽子のラブの集団の球体の直径＝電子のラブの集団の球体の直径＝5.009×10−12m。
陽子のラブの集団の球体の半径＝陽子のラブの集団の球体の直径÷2＝5.009×10−12m÷2＝2.505×10−12m
陽子のラブの集団の球体と電子のラブの集団の球体の間の距離＝陽子のラブの集団の球体の半径×1836＝2.505×10−12m×1836＝4.499×10−9m
陽子のラブの集団と電子のラブの集団の間の距離は、4.499×10−9mです。
・陽子のラブの集団と電子のラブの集団の間の距離は、4.499×10−9mで、電子のラブの集団の球体の直径は5.009×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。
・半径4.499×10−9mの球体の表面積に陽子のラブは飛散した。そのうち4％の表面積に当たったものが原子に成った。4％の表面積はいくらか。
半径4.499×10−9mの球体の表面積＝4π×(4.499×10−9m)2＝2.542×10−16m2
半径4.499×10−9mの球体の表面積×0.04＝2.542×10−16m2×0.04＝1.017×10−17 m2
半径4.499×10−9mの球体の表面積の内1.017×10−17 m2に当たった陽子のラブが電子のラブと衝突し、原子に成った。
・1.017×10−17 m2の長さはいくらか。
1.017×10−17m2の長さは、(1.017×10−17 m2)1/2=3.189×10-9m、です。
その場所は、電子のラブの集団が存在していた場所です。
電子のラブの集団の球体の大きさ＝5.009×10−12mですから、その3.189×10-9m÷(5.009×10−12m)＝6.367×102倍の長さです。
即ち、電子のラブの集団の球体の大きさは、6.367×102倍に拡大し、それに、陽子のラブは衝突した。
陽子のラブの集団の立体の1辺の長さと陽子のラブの集団の球体の直径の比較
表20
2017005933.tif 000022
・陽子のラブの集団と電子のラブの集団の間の距離はいくらか。
陽子のラブの集団の球体の直径１  ＝電子のラブの集団の球体の直径２  ＝5.009×10−12m。
陽子のラブの集団の球体の半径３  ＝陽子のラブの集団の球体の直径÷2＝5.009×10−12m÷2＝2.505×10−12m
陽子のラブの集団の球体と電子のラブの集団の球体の間の距離４  ＝陽子のラブの集団の球体の半径×1836＝2.505×10−12m×1836＝4.499×10−9m
陽子のラブの集団と電子のラブの集団の間の距離は、4.499×10−9mです。
・陽子のラブの集団と電子のラブの集団の間の距離は、4.499×10−9mで、電子のラブの集団の球体の直径は5.009×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。
・半径4.499×10−9mの球体の表面積に陽子のラブは飛散した。そのうち4％の表面積に当たったものが原子に成った。4％の表面積はいくらか。
半径4.499×10−9mの球体の表面積５  ＝4π×(4.499×10−9m)2＝2.542×10−16m2
半径4.499×10−9mの球体の表面積×0.04  ６  ＝2.542×10−16m2×0.04＝1.017×10−17 m2
半径4.499×10−9mの球体の表面積の内1.017×10−17 m2に当たった陽子のラブが電子のラブと衝突し、原子に成った。
・1.017×10−17 m2の長さはいくらか。
1.017×10−17m2の長さ７  は、(1.017×10−17 m2)1/2=3.189×10-9m、です。
その場所は、電子のラブの集団が存在していた場所です。
電子のラブの集団の球体の大きさ＝5.009×10−12mですから、その3.189×10-9m÷(5.009×10−12m)＝6.367×102倍の長さです。
即ち、電子のラブの集団の球体の大きさは、6.367×102倍に拡大し８、それに、陽子のラブは衝突した。
【発明の詳細な説明】
【技術分野】
【０００１】
本発明は、ビッグバンを起こした陽子のラブの集団の引力と比重に関するものである。どのように原子はできたかに関するものである。
【背景技術】
【０００２】
2015年5月1日に提出した、特願2015−093867の「請求項3」に次のように記した。
ビッグバンをおこした陽子のラブの自転軌道の比重はいくらか。
ビッグバンをおこした陽子のラブの自転軌道の比重は、1.3×1084です。
地表の陽子のラブの自転軌道の比重は、4.402×1022です。
ビッグバンをおこした陽子のラブの自転軌道の比重は、地表の陽子のラブの自転軌道の比重の、1.3×1084÷(4.402×1022)＝2.953×1061倍、です。
【先行技術文献】
【特許文献】
【０００３】
【特許文献１】特願2005−166134
【特許文献２】特願2005−198056
【特許文献３】特願2009−218192
【特許文献４】特願2010−269415
【特許文献５】特願2011−139785
【特許文献６】特願2015−093867
【発明の概要】
【発明が解決しようとする課題】
【０００４】
１．  ビッグバンをおこすための必要条件は何か。
２．引力とは何か。
３．1個の原子でできる万有引力は、1.63×10−31Jです。これはどのようなエネルギーであるか。
４．ビッグバンをおこした陽子のラブの引力と陽子のラブの集団の引力はいくらか。
５．放出した電磁気は1.657×10−18Jである場合、原子数はいくらか。
６．ビッグバンをおこしたときの陽子のラブの集団の体積と比重はいくらか。
７．質量を作る場の必要条件は何か。
８．どうしてビッグバンは起きたか。
９．ビッグバンをおこした場の引力はいくらか。地表の引力の何倍か。
１０．もし、宇宙の素粒子の中で原子に成ることができた物が4％であり、96％がダークマターであるとするなら、陽子のラブの集団の爆発により、どのように原子はできたか。
【課題を解決するための手段】
【０００５】
1．  この事については、2015年5月1日に提出した、特願2015−093867の「請求項3」に記した。
２．私はいままで、引力は電子が1秒間に作り出す磁気の光子の軌道エネルギーであると考えてきたが、これは間違えです。
３．ボーア磁子は9.274×10−24Jです。これは、7.96×107公転によりできた磁気の光子のエネルギーです。
1公転でできる磁気の光子のエネルギーは、9.274×10−24J÷(7.96×107公転)＝1.165×10−31J、です。
４．ビッグバンをおこした陽子のラブの引力は、1.164×10−31J×ビッグバンの時のA＝1.164×10−31J×3.090×1020＝3.597×10−11J、です。
５．今回は、できる宇宙の原子数＝1.0765×1079×できる電子のラブのエネルギー6、の式により求める。
６．  ビッグバンをおこしたときの陽子のラブの集団の総合質量＝陽子のラブの質量×陽子のラブの総数＝1.67262×10−24g×2.674×1079個＝4.473×1055ｇ
半径に1.855×1026個の陽子のラブが存在する。
半径の長さ＝陽子のラブの自転軌道×半径の陽子のラブの数＝1.350×10−38m×1.855×1026個＝2.504×10−12ｍ＝2.504×10−10cm
７．結果に記す。
８．  結果に記す。
９．地表の原子と原子の間の引力＝1原子でできる引力のエネルギー2÷電子のラブの公転軌道2＝(1.165×10−31J)2÷(1.058×10−10m)2＝1.212×10−42J/m 、です。
ビッグバンの以前、A=3.090×1020の場では、陽子のラブと陽子のラブの間の引力は、陽子のラブが作る引力のエネルギー2÷陽子のラブの自転軌道2＝(1.165×10−31J×3.090×1020)2÷｛地表の陽子のラブの自転軌道÷(3.090×1020)｝2＝(1.165×10−31J×3.090×1020)2÷｛4.18×10−18m÷(3.090×1020)｝2＝(3.600×10−11)2÷(1.353×10−38m)2＝1.296×10−21J÷(1.831×10−76m)＝7.078×1054J/m、です。
A=3.090×1020の場の陽子のラブと陽子のラブの間の引力÷地表の原子と原子の間の引力＝7.078×1054J/m÷(1.212×10−42J/m)＝5.840×1096倍
１０．陽子のラブの集団が爆発したとき、原子ができるのは、陽子のラブと電子のラブが衝突した数です。
陽子のラブの集団の立体の1辺の長さと陽子のラブの集団の球体の直径について検討する。
【発明の効果】
【０００６】
１．  もしかしたら、引力は電子が1秒間に作り出す磁気の光子の軌道エネルギーではないのかもしれない。
２．引力は、1公転で作る磁気の光子のエネルギーです。
３．1個の原子でできる万有引力は、1.63×10−31Jです。これは、電子のラブが1公転で作る磁気の光子のエネルギーです。
４．陽子のラブ集団の引力は、陽子のラブの引力×陽子のラブ集団の数＝3.597×10−11J×2.674×1079個＝9.618×1068J、です。
球体の表面の陽子のラブが作ったビッグバンをおこした陽子のラブの引力＝陽子のラブ集団の表面の数×ビッグバンをおこした陽子のラブの引力＝4.322×1053個×3.597×10−11J＝1.555×1043J、です。
５．  できる宇宙の原子数＝1.0765×1079×できる電子のラブのエネルギー6＝1.0765×1079×1.1646＝1.0765×1079×2.487＝2.678×1079
できる宇宙の原子数は、2.678×1079個です。
これは、特願2010−269415に於いて求めた原子数とほぼ同じであるので、原子数は2.674×1079個とする。
６．陽子のラブの集団の体積＝4/3×π(2.504×10−10cm)3＝4/3×π×1.570×10−29 cm3＝6.573×10−29 cm3
陽子のラブの集団の比重＝陽子のラブの集団の総合質量÷陽子のラブの集団の体積＝4.473×1055ｇ÷(6.573×10−29 cm3)＝6.805×1083
７．質量を作る場は最も自転軌道の比重が大きい場です。
質量を作る場の必要条件は陽子のラブの自転軌道の比重が1.300×1084であることです。
質量を作る場の必要条件は電子のラブの自転軌道の比重が7.078×1080であることです。
質量を作る場の必要条件はA=3.090×1020の場で、陽子のラブのエネルギーが4.645×1010Jであることです。
質量を作る場の必要条件はA=3.090×1020の場で、電子のラブのエネルギーが2.530×107Jであることです。
８．  質量ができたからビッグバンは起きた。
比重が大きく成り、その比重を保ちきれなくなり爆発した。
陽子のラブの自転比重が1.3×1084となり、この比重を保ちきれなくなったので、爆発した。
陽子のラブの集団の比重が6.805×1083となり、この比重を保ちきれなくなったので、爆発した。
９．1．Aの場の万有引力定数に成る引力は、1.165×10−31J×Aです。
2．ビッグバンをおこした場の陽子のラブと陽子のラブの間の引力は地表の1原子と1原子の間の引力の5.840×1096倍です。
3．ビッグバンをおこした場の陽子のラブと陽子のラブの間の引力が地表の1原子と1原子の間の引力の5.840×1096倍であることにより、爆発した。
4．陽子のラブと陽子のラブの間の引力が7.078×1054J/mであることにより、爆発した。
１０．陽子のラブの集団の半径は2.505×10−12mです。陽子のラブの集団と電子のラブの集団の距離は、この1836倍です。2.505×10−12m×1836＝4.499×10−9mです。爆発の時、この球体の面積の0.04倍の面積に電子のラブは存在した。4π×(4.499×10−9m)2×0.04＝1.017×10−17 m2。
1.017×10−17 m2の長さは、(1.017×10−17m2)1/2=3.189×10-9mです。これは電子のラブの集団の長さの、3.189×10-9m÷(5.009×10−12m)＝6.367×102倍の長さです。
【図面の簡単な説明】
【０００７】
【図１】図１は、もし、宇宙の素粒子の中で原子に成ることができた物が4％であり、96％がダークマターであるとするなら、陽子のラブの集団の爆発により、どのように原子はできたかを図示する。ビッグバンの以前、陽子のラブの集団ができた場の様子は、まるで太陽圏のようであった。中央に陽子のラブの集団があり、それを電子のラブの集団が地球のように回転していた。この事により、陽子のラブの集団が爆発したとき、原子ができるのは、陽子のラブと電子のラブが衝突した数です。・陽子のラブの集団の球体の直径はいくらか。半径ｒにr個の陽子のラブが存在するとする。4/3×πr3＝2.674×1079個r3＝2.674×1079個÷(4/3×π)＝6.387×1078個ｒ＝1.855×1026個半径の陽子のラブの数＝1.855×1026個陽子のラブの集団の球体の直径１  ＝半径に存在する陽子のラブの数×2×陽子のラブの自転軌道＝1.855×1026個×2×1.350×10−38m＝5.009×10−12m電子のラブの集団の球体の直径２  ＝半径に存在する電子のラブの数×2×電子のラブの自転軌道＝1.855×1026個×2×1.350×10−38m＝5.009×10−12m陽子のラブの集団の球体の半径３  ＝陽子のラブの集団の球体の直径÷2＝5.009×10−12m÷2＝2.505×10−12m陽子のラブの集団の球体と電子のラブの集団の球体の間の距離４  ＝陽子のラブの集団の球体の半径×1836＝2.505×10−12m×1836＝4.499×10−9m陽子のラブの集団と電子のラブの集団の間の距離は、4.499×10−9mです。・陽子のラブの集団と電子のラブの集団の間の距離は、4.499×10−9mで、電子のラブの集団の球体の直径は5.009×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。・半径4.499×10−9mの球体の表面積に陽子のラブは飛散した。そのうち4％の表面積に当たったものが原子に成った。4％の表面積はいくらか。半径4.499×10−9mの球体の表面積５  ＝4π×(4.499×10−9m)2＝2.542×10−16m2半径4.499×10−9mの球体の表面積×0.04  ６  ＝2.542×10−16m2×0.04＝1.017×10−17 m2半径4.499×10−9mの球体の表面積の内1.017×10−17 m2に当たった陽子のラブが電子のラブと衝突し、原子に成った。・1.017×10−17 m2の長さはいくらか。1.017×10−17m2の長さ７  は、(1.017×10−17 m2)1/2=3.189×10-9m、です。その場所は、電子のラブの集団が存在していた場所です。電子のラブの集団の球体の大きさ＝5.009×10−12mですから、その3.189×10-9m÷(5.009×10−12m)＝6.367×102倍の長さです。即ち、電子のラブの集団の球体の大きさは、6.367×102倍に拡大し８、それに、陽子のラブは衝突した。
【発明を実施するための形態】
【０００８】
１．    ビッグバンをおこすための必要条件は何か。
・ビッグバンをおこした陽子のラブの自転軌道の比重はいくらか。
ビッグバンをおこした陽子のラブの自転軌道の比重は、1.3×1084です。
地表の陽子のラブの自転軌道の比重は、4.402×1022です。
ビッグバンをおこした陽子のラブの自転軌道の比重は、地表の陽子のラブの自転軌道の比重の、1.3×1084÷(4.402×1022)＝2.953×1061倍、です。
この事については、2015年5月1日に提出した、特願2015−093867の「請求項3」に記した。
A=3.090×1020の場の陽子のラブと電子のラブの自転軌道の比重と地表の陽子のラブと電子のラブの自転軌道の比重
表1
2017005933.tif 000003
陽子のラブの自転軌道の比重の比
表2
2017005933.tif 000004
参考
地表の陽子のラブの公転軌道の比重と電子のラブの公転軌道の比重はいくらか。
地表の陽子のラブの公転軌道は5.764×10−14mです。陽子のラブの質量は1.67265×10−27Kgです。
地表の陽子のラブの公転軌道の体積は、4/3×π(5.764×10−12cm÷2)3＝4/3×π×(2.882×10−12cm)3＝4/3×π×23.94×10−36cm3＝1.002×10−34 cm3、です。
地表の陽子のラブの公転軌道の比重は、1.67265×10−24g÷(1.002×10−34 cm3)＝1.669×1010、です。
地表の電子のラブの公転軌道は1.058×10−10mです。電子のラブの質量は9.1095×10−31Kgです。
地表の電子のラブの公転軌道の体積は、4/3×π(1.058×10−8cm÷2)3＝4/3×π×(5.290×10−9cm)3＝4/3×π×148.0×10−27 cm3＝6.196×10−25 cm3
地表の電子のラブの公転軌道の比重は、質量÷体積＝9.1095×10−28g÷(6.196×10−25 cm3)＝1.470×10−3、です。
この事を表に示す。
地表の陽子のラブと地表の電子のラブの公転軌道の比重
表3
2017005933.tif 000005
・ビッグバンをおこした場の引力はいくらか。
引力とは電子が1秒間に作り出す磁気の光子の軌道エネルギーです。この磁気の光子の軌道エネルギーは一定です。10−31Jmです。
A=3.090×1020の場合。
電子のラブの自転軌道＝地表の電子のラブの自転軌道÷A＝4.175×10−18m÷(3.090×1020)＝1.351×10−38m
電子のラブのエネルギー＝地表の電子のラブのエネルギー×A＝8.187×10−14J×3.090×1020＝2.530×107J
電子のラブが1秒間に作るエネルギー＝3.083×10−33Jm÷自転軌道＝3.083×10−33Jm÷(1.351×10−38m)＝2.282×105J
電子が1秒間に作り出す磁気の光子の軌道エネルギー＝電子のラブが1秒間に作るエネルギー×電子のラブの自転軌道＝2.282×105J×1.351×10−38m＝3.083×10−33Jm
ここで問題が発生しました。
A=3.090×1020の場合に於いて、電子が1秒間に作り出す磁気の光子の軌道エネルギーは3.083×10−33Jmです。これは地表の場合とほぼ同じです。
もしかしたら、引力は電子が1秒間に作り出す磁気の光子の軌道エネルギーではないのかもしれない。
○再度引力について考える。  
２．  引力とは何か。
2005年5月10日に提出した、特願2005−166134の「請求項13」で、次のように記した。
万有引力定数は6.672×10−11Nmm/kg2ですから、1000gでできる万有引力は(6.672×10−11)1/2J=8.16×10−6Jです。1000gには、1000÷12×6.022×1023個＝5×1025個の電子があります。1個の電子でできる万有引力は、8.16×10−6J÷(5×1025個)＝1.63×10−31Jです。
2005年6月10日に提出した、特願2005−198056「中性子と素粒子２」では、ボーア磁子9.274×10−24J/T、核磁子5.0508×10−27J/Tから導き出された、電子のラブによってできた磁気の光子のエネルギーと運動量、陽子のラブによってできた磁気の光子のエネルギーと運動量の表では、軌道1mにおける、磁気の光子のエネルギー＝万有引力＝9.274×10−32Jm÷1m＝9.274×10−32J。
それで、万有引力の式をもう1度考察する。
万有引力定数＝6.672×10−11Nm2/Kg2
万有引力定数は6.672×10−11Nｍ2/Kg2ですから、1000ｇでできる万有引力は、（6.672×10−11 Nｍ2/Kg2）1/2=8.16×10−6 Nｍ/Kgです。1000ｇには、1000÷12×6.022×1023個＝5×1025個の原子があります。アボガドロ数で算出しています。
1個の原子でできる万有引力は、8.16×10−6Nm÷（5×1025個）＝1.63×10−31Nm=1.63×10−31Jです。
この式によって、1個の原子でできる万有引力は、1.63×10−31Jです。
私はいままで、引力は電子が1秒間に作り出す磁気の光子の軌道エネルギーであると考えてきたが、これは間違えです。
1個の原子でできる万有引力は、1公転で作る磁気の光子のエネルギーです。
この事を表に示す。
表４
2017005933.tif 000006
３．    1個の原子でできる万有引力は、1.63×10−31Jです。これはどのようなエネルギーであるか。
・ボーア磁子は9.274×10−24Jです。これは、7.96×107公転によりできた磁気の光子のエネルギーです。
1公転でできる磁気の光子のエネルギーは、9.274×10−24J÷(7.96×107公転)＝1.165×10−31J、です。
即ち、1個の原子でできる万有引力は、1.63×10−31Jです。これは、電子のラブが1公転で作る磁気の光子のエネルギーです。
1公転には磁気の光子が7.96×107個存在します。
それで、磁気の光子1個のエネルギーは、1.165×10−31J÷(7.96×107個)＝1.464×10−39J、です。
・核磁子は5.05×10−27Jです。これは、4.34×104公転によりできた磁気の光子のエネルギーです。
1公転でできる磁気の光子のエネルギーは、5.05×10−27J÷(4.34×104公転)＝1.164×10−31J、です。
即ち、1個の原子でできる万有引力は、1.164×10−31Jです。これは、陽子のラブが1公転で作る磁気の光子のエネルギーです。
1公転には磁気の光子が4.34×104個存在します。
それで、磁気の光子1個のエネルギーは、1.164×10−31J÷(4.34×104個)＝2.682×10−36J、です。
万有引力になる磁気の光子は、原子の外側の電子のラブが作る磁気の光子です。
この事をまとめて表に示す。
ボーア磁子から算出した電子のラブが1公転で作る引力に成る磁気の光子のエネルギーと核磁子から算出した陽子のラブが1公転で作る引力に成る磁気の光子のエネルギー
表5
2017005933.tif 000007
理解できた事。
1．万有引力は、原子の外側の磁気の光子です。
2．万有引力は、電子のラブが1公転で作る磁気の光子のエネルギーで、ボーア磁子÷公転数＝9.274×10−24J÷(7.96×107公転)＝1.165×10−31J、です。
3．磁気の光子1個のエネルギーは、1.165×10−31J÷(7.96×107個)＝1.464×10−39J、です。
4．陽子のラブが作る引力は１公転で作る磁気の光子のエネルギーで、核磁子÷公転数＝5.05×10−27J÷(4.34×104公転)＝1.164×10−31J、です。
5．原子では電子のラブが作る引力と陽子のラブが作る引力は、共に1.165×10−31Jであり、等しい。等しい引力で引き合っている。
４．    ビッグバンをおこした陽子のラブの引力と陽子のラブの集団の引力はいくらか。
陽子のラブが1公転で作る磁気の光子のネルギー(引力)は、地表で、1.164×10−31Jです。
それで、ビッグバンをおこした陽子のラブの引力は、1.164×10−31J×ビッグバンの時のA＝1.164×10−31J×3.090×1020＝3.597×10−11J、です。
陽子のラブ集団の引力は、陽子のラブの引力×陽子のラブ集団の数＝3.597×10−11J×2.674×1079個＝9.618×1068J、です。
2011年6月23日に提出した、特願2011−139785に記したように、軌道エネルギーは素粒子の表面の数×素粒子が1秒間に作る光子のエネルギーであると考える場合。
・素粒子の表面の数はいくらか。
4π/3×r3＝2.674×1079個。    ｒ3＝2.674×1079個÷4π/3＝6.3871×1078。    ｒ＝6.3871/3×1026＝1.855×1026(個)
素粒子の表面の数＝4πｒ2=4π(1.855×1026個)2＝4.322×1053個
素粒子の表面の数は4.322×1053個です。
陽子のラブ集団の表面の数は、4.322×1053個です。
それで、球体の表面の陽子のラブが作ったビッグバンをおこした陽子のラブの引力＝陽子のラブ集団の表面の数×ビッグバンをおこした陽子のラブの引力＝4.322×1053個×3.597×10−11J＝1.555×1043J、です。
ビッグバンをおこした陽子のラブの引力と陽子のラブの集団の引力と陽子のラブの集団の表面の引力
表6
2017005933.tif 000008
５．    放出した電磁気は1.657×10−18Jである場合、原子数はいくらか。
2010年12月2日に提出した、特願2010−269415に於いて、放出した電磁気は1.657×10−18Jであり、原子数は2.674×1079個であると次のように記した。
(電磁場の電磁気が集まった大きさは、電磁気の軌道×総合電磁気数1/3＝5.5×107mで一定ですから、この式より原子数を求める。
電磁気の軌道×総合電磁気数1/3＝5.5×107m
総合電磁気数1/3＝5.5×107m÷電磁気の軌道＝5.51×107m÷（4.648×10-62÷a2m）=5.51×107m÷｛4.648×10-62÷（1.657×10-18J）2m｝＝5.51×107m÷（1.693×10-26m）=3.255×1033
総合電磁気数＝（3.255×1033）3＝3.449×10100（個）
総合電磁気数＝1.290×1021×できる原子数＝3.449×10100個
原子数＝3.449×10100個÷（1.290×1021）＝2.674×1079個
原子数は2.674×1079個であった)
今回は、できる宇宙の原子数＝1.0765×1079×できる電子のラブのエネルギー6、の式により求める。(この式は2009年9月19日に提出した、特願2009−218192に記した。)
放出した電磁気は1.657×10−18Jである場合、できる電子のラブのエネルギー＝放出した電磁気×電子のラブの電磁気数＝1.657×10−18J×7.0225×1017個＝1.164J、です。
できる宇宙の原子数＝1.0765×1079×できる電子のラブのエネルギー6＝1.0765×1079×1.1646＝1.0765×1079×2.487＝2.678×1079
できる宇宙の原子数は、2.678×1079個です。
これは、特願2010−269415に於いて求めた原子数とほぼ同じであるので、原子数は2.674×1079個とする。
６．    ビッグバンをおこしたときの陽子のラブの集団の体積と比重はいくらか。
・ビッグバンをおこしたときの陽子のラブの集団の総合質量はいくらか
ビッグバンをおこしたときの陽子のラブの集団の総合質量＝陽子のラブの質量×陽子のラブの総数＝1.67262×10−24g×2.674×1079個＝4.473×1055ｇ
・ビッグバンをおこしたときの陽子のラブの集団の体積と比重はいくらか。
半径にr個の陽子のラブが存在するとする。
4/3×πｒ3個＝2.674×1079個
ｒ3個＝2.674×1079個÷(4/3×π)＝6.387×1078
r＝(6.387×1078)1/3=1.855×1026
半径に1.855×1026個の陽子のラブが存在する。
半径の長さ＝陽子のラブの自転軌道×半径の陽子のラブの数＝1.350×10−38m×1.855×1026個＝2.504×10−12ｍ＝2.504×10−10cm
陽子のラブの集団の体積＝4/3×π(2.504×10−10cm)3＝4/3×π×1.570×10−29 cm3＝6.573×10−29 cm3
陽子のラブの集団の比重＝陽子のラブの集団の総合質量÷陽子のラブの集団の体積＝4.473×1055ｇ÷(6.573×10−29 cm3)＝6.805×1083
ビッグバンをおこしたときの陽子のラブの集団の体積は6.573×10−29 cm3で、比重は6.805×1083、です。
これは陽子のラブの比重とほぼ等しい
まとめて表に示す。
ビッグバンの時の陽子のラブの集団の様子
表7
2017005933.tif 000009
この事により理解できる事
1．陽子のラブの集団の引力は9.618×1068Jに成り、ビッグバンがおきた。
2．陽子のラブの集団の比重は6.805×1083に成り、ビッグバンがおきた。
７．    質量を作る場の必要条件は何か。
質量を作る場は最も自転軌道の比重が大きい場です。
質量を作る場の必要条件は陽子のラブの自転軌道の比重が1.300×1084であることです。
質量を作る場の必要条件は電子のラブの自転軌道の比重が7.078×1080であることです。
質量を作る場の必要条件はA=3.090×1020の場で、陽子のラブのエネルギーが4.645×1010Jであることです。
質量を作る場の必要条件はA=3.090×1020の場で、電子のラブのエネルギーが2.530×107Jであることです。
８．    どうしてビッグバンは起きたか。
質量ができたからビッグバンは起きた。
比重が大きく成り、その比重を保ちきれなくなり爆発した。
陽子のラブの自転比重が1.3×1084となり、この比重を保ちきれなくなったので、爆発した。
陽子のラブの集団の比重が6.805×1083となり、この比重を保ちきれなくなったので、爆発した。
９．  ビッグバンをおこした場の引力はいくらか。地表の引力の何倍か。
地表では、電子のラブが1公転で作る磁気の光子のエネルギーは、ボーア磁子÷公転数＝9.274×10−24J÷(7.96×107公転)＝1.165×10−31J、です。
このエネルギーが万有引力です。
ビッグバンをおこした場のAは、aJ=1.657×10−18Jの場合、A=3.090×1020ですから、電子のラブが7.96×107回の自転で作る磁気の光子のエネルギーは、
地表のエネルギー×3.090×1020＝1.165×10−31J×3.090×1020＝3.600×10ー11J、です。
ビッグバンをおこした場の電子のラブが作る磁気の光子のエネルギーは3.600×10ー11Jです。
中央の陽子のラブの集団の陽子のラブが1公転で作る磁気の光子のエネルギーは、核磁子÷公転数×A=5.05×10−27J÷(4.34×104公転)×3.090×1020＝1.164×10−31J×3.090×1020＝3.597×10−11J、です。
ビッグバンをおこした場の引力は、地表の引力の、3.597×10−11J÷(1.165×10−31J)＝3.090×1020倍、です。
1原子と1原子の間の引力は、1原子でできる磁気の光子のエネルギー2÷1原子の直径2＝1電子のラブが作る引力になる磁気の光子のエネルギー2÷1原子の直径2、です。
地表の原子と原子の間の引力＝1原子でできる引力のエネルギー2÷電子のラブの公転軌道2＝(1.165×10−31J)2÷(1.058×10−10m)2＝1.212×10−42J/m 、です。
ビッグバンの以前、A=3.090×1020の場では、陽子のラブと陽子のラブの間の引力は、陽子のラブが作る引力のエネルギー2÷陽子のラブの自転軌道2＝(1.165×10−31J×3.090×1020)2÷｛地表の陽子のラブの自転軌道÷(3.090×1020)｝2＝(1.165×10−31J×3.090×1020)2÷｛4.18×10−18m÷(3.090×1020)｝2＝(3.600×10−11)2÷(1.353×10−38m)2＝1.296×10−21J÷(1.831×10−76m)＝7.078×1054J/m、です。
A=3.090×1020の場の陽子のラブと陽子のラブの間の引力÷地表の原子と原子の間の引力＝7.078×1054J/m÷(1.212×10−42J/m)＝5.840×1096倍
A=3.090×1020の場の陽子のラブと陽子のラブの間の引力は地表の原子と原子の間の引力の5.840×1096倍です。
ビッグバンをおこした場の陽子のラブの引力は3.597×1011Jです。陽子のラブと陽子のラブの間の引力は7.067×1054J/mです。
地表の引力は1.165×10−31Jです。地表の1原子と1原子の間の引力は1.283×10−52J/m
ビッグバンをおこした場の引力は、地表の引力の、3.090×1020倍です。
地表の原子と原子の間の引力は、1.212×10−42J/mです。
ビッグバンをおこした場の陽子のラブと陽子のラブの間の引力は、7.078×1054J/mです。
ビッグバンをおこした場の陽子のラブと陽子のラブの間の引力は地表の原子と原子の間の引力の、5.840×1096倍です。
この事を表に示す。
地表の1原子と1原子の間の引力とビッグバンをおこした場の陽子のラブと陽子のラブの間の引力の比
表8
2017005933.tif 000010
この事により理解できる事
1．Aの場の万有引力定数に成る引力は、1.165×10−31J×Aです。
2．ビッグバンをおこした場の陽子のラブと陽子のラブの間の引力は地表の1原子と1原子の間の引力の5.840×1096倍です。
3．ビッグバンをおこした場の陽子のラブと陽子のラブの間の引力が地表の1原子と1原子の間の引力の5.840×1096倍であることにより、爆発した。
4．陽子のラブと陽子のラブの間の引力が7.078×1054J/mであることにより、爆発した。
１０．    もし、宇宙の素粒子の中で原子に成ることができた物が4％であり、96％がダークマターであるとするなら、陽子のラブの集団の爆発により、どのように原子はできたか。
ビッグバンの以前、陽子のラブの集団ができた場の様子は、まるで太陽圏のようであった。中央に陽子のラブの集団があり、それを電子のラブの集団が地球のように回転していた。
この事により、陽子のラブの集団が爆発したとき、原子ができるのは、陽子のラブと電子のラブが衝突した数です。
・陽子のラブの集団の立方体の1辺の長さはいくらか。
陽子のラブの集団の立方体の1辺の長さ＝陽子のラブの数1/3×陽子のラブの自転軌道＝(2.674×1079個)1/3×1.350×10−38m＝(26.74×1078個)1/3×1.350×10−38m＝2.990×1026個×1.350×10−38m＝4.037×10−12m
陽子のラブの集団の立方体の1辺の長さは、4.037×10−12mです。
・電子のラブの集団の立方体の1辺の長さはいくらか。
電子のラブの集団の立方体の1辺の長さ＝電子のラブの数1/3×電子のラブの自転軌道＝(2.674×1079個)1/3×1.350×10−38m＝(26.74×1078個)1/3×1.350×10−38m＝2.990×1026個×1.350×10−38m＝4.037×10−12m
電子のラブの集団の立方体の1辺の長さは、4.037×10−12mです。
・陽子のラブの集団の球体の直径はいくらか。
半径ｒにr個の陽子のラブが存在するとする。
4/3×πr3＝2.674×1079個
r3＝2.674×1079個÷(4/3×π)＝6.387×1078個
ｒ＝1.855×1026個
直径の陽子のラブの数＝1.855×1026個×2＝3.710×1026個
陽子のラブの集団の球体の直径＝半径に存在する陽子のラブの数×2×陽子のラブの自転軌道＝1.855×1026個×2×1.350×10−38m＝5.009×10−12m
電子のラブの集団の球体の直径＝半径に存在する電子のラブの数×2×電子のラブの自転軌道＝1.855×1026個×2×1.350×10−38m＝5.009×10−12m
陽子のラブの集団の立方体の1辺の長さと陽子のラブの集団の球体の直径
表9
2017005933.tif 000011
・陽子のラブの集団と電子のラブの集団の間の距離はいくらか。
陽子のラブの集団の立方体の1辺の長さ＝電子のラブの集団の立方体の1辺の長さ＝4.037×10−12mとする場合。
陽子のラブの集団の立方体の1辺の長さ÷2＝4.037×10−12m÷2＝2.019×10−12m
陽子のラブの集団と電子のラブの集団の間の距離＝陽子のラブの集団の1/2×1836＝2.019×10−12m×1836＝3.707×10−9m
陽子のラブの集団と電子のラブの集団の間の距離は、3.707×10−9mです。
・陽子のラブの集団と電子のラブの集団の間の距離は、3.707×10−9mで、電子のラブの集団の大きさは4.037×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。
・半径3.707×10−9mの球体の表面積に陽子のラブは飛散した。そのうち4％の表面積に当たったものが原子に成った。4％の表面積はいくらか。
半径3.707×10−9mの球体の表面積＝4π×(3.707×10−9m)2＝1.726×10−16m2
半径3.707×10−9mの球体の表面積×0.04＝4π×(3.707×10−9m)2×0.04＝4π×13.74×10−18m2×0.04＝6.903×10−18 m2
半径3.707×10−9mの球体の表面積の内6.903×10−18 m2に当たった陽子のラブが電子のラブと衝突し、原子に成った。
・6.903×10−18 m2の長さはいくらか。
6.903×10−18 m2の長さは、(6.903×10−18 m2)1/2=2.627×10-9m、です。
その場所は、電子のラブの集団が存在していた場所です。
電子のラブの集団の立方体の1辺の長さ＝4.037×10−12mですから、その2.627×10-9m÷(4.037×10−12m)＝6.508×102倍の長さです。
即ち、電子のラブの集団の大きさは、6.508×102倍に拡大し、それに、陽子のラブは衝突した。
・陽子のラブの集団と電子のラブの集団の間の距離はいくらか。
陽子のラブの集団の球体の直径＝電子のラブの集団の球体の直径＝5.009×10−12m。
陽子のラブの集団の球体の半径＝陽子のラブの集団の球体の直径÷2＝5.009×10−12m÷2＝2.505×10−12m
陽子のラブの集団の球体と電子のラブの集団の球体の間の距離＝陽子のラブの集団の球体の半径×1836＝2.505×10−12m×1836＝4.499×10−9m
陽子のラブの集団と電子のラブの集団の間の距離は、4.499×10−9mです。
・陽子のラブの集団と電子のラブの集団の間の距離は、4.499×10−9mで、電子のラブの集団の球体の直径は5.009×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。
・半径4.499×10−9mの球体の表面積に陽子のラブは飛散した。そのうち4％の表面積に当たったものが原子に成った。4％の表面積はいくらか。
半径4.499×10−9mの球体の表面積＝4π×(4.499×10−9m)2＝2.542×10−16m2
半径4.499×10−9mの球体の表面積×0.04＝2.542×10−16m2×0.04＝1.017×10−17 m2
半径4.499×10−9mの球体の表面積の内1.017×10−17 m2に当たった陽子のラブが電子のラブと衝突し、原子に成った。
・1.017×10−17 m2の長さはいくらか。
1.017×10−17m2の長さは、(1.017×10−17 m2)1/2=3.189×10-9m、です。
その場所は、電子のラブの集団が存在していた場所です。
電子のラブの集団の球体の大きさ＝5.009×10−12mですから、その3.189×10-9m÷(5.009×10−12m)＝6.367×102倍の長さです。
即ち、電子のラブの集団の球体の大きさは、6.367×102倍に拡大し、それに、陽子のラブは衝突した。
陽子のラブの集団の立体の1辺の長さと陽子のラブの集団の球体の直径の比較
表10
2017005933.tif 000012
・陽子のラブの集団と電子のラブの集団の間の距離はいくらか。
陽子のラブの集団の球体の直径１  ＝電子のラブの集団の球体の直径２  ＝5.009×10−12m。
陽子のラブの集団の球体の半径３  ＝陽子のラブの集団の球体の直径÷2＝5.009×10−12m÷2＝2.505×10−12m
陽子のラブの集団の球体と電子のラブの集団の球体の間の距離４  ＝陽子のラブの集団の球体の半径×1836＝2.505×10−12m×1836＝4.499×10−9m
陽子のラブの集団と電子のラブの集団の間の距離は、4.499×10−9mです。
・陽子のラブの集団と電子のラブの集団の間の距離は、4.499×10−9mで、電子のラブの集団の球体の直径は5.009×10−12mです。この場合全ての陽子のラブと電子のラブは質量をもっています。もし、宇宙の素粒子の中で原子に成ることができた物が4％であり、96％がダークマターであるとするなら、陽子のラブの内4％が電子のラブの集団に衝突し、原子に成った。
・半径4.499×10−9mの球体の表面積に陽子のラブは飛散した。そのうち4％の表面積に当たったものが原子に成った。4％の表面積はいくらか。
半径4.499×10−9mの球体の表面積５  ＝4π×(4.499×10−9m)2＝2.542×10−16m2
半径4.499×10−9mの球体の表面積×0.04  ６  ＝2.542×10−16m2×0.04＝1.017×10−17 m2
半径4.499×10−9mの球体の表面積の内1.017×10−17 m2に当たった陽子のラブが電子のラブと衝突し、原子に成った。
・1.017×10−17 m2の長さはいくらか。
1.017×10−17m2の長さ７  は、(1.017×10−17 m2)1/2=3.189×10-9m、です。
その場所は、電子のラブの集団が存在していた場所です。
電子のラブの集団の球体の大きさ＝5.009×10−12mですから、その3.189×10-9m÷(5.009×10−12m)＝6.367×102倍の長さです。
即ち、電子のラブの集団の球体の大きさは、6.367×102倍に拡大し８、それに、陽子のラブは衝突した。
【産業上の利用可能性】
【０００９】
ビッグバンが起きた時の事を知ることは産業の発展に役立つ。
【符号の説明】
【００１０】
１    陽子のラブの集団の球体の直径＝5.009×10−12m
２    電子のラブの集団の球体の直径＝5.009×10−12m
３    陽子のラブの集団の球体の半径＝陽子のラブの集団の球体の直径÷2＝5.009×10−12m÷2＝2.505×10−12m
４    陽子のラブの集団の球体と電子のラブの集団の球体の間の距離＝陽子のラブの集団の球体の半径×1836＝2.505×10−12m×1836＝4.499×10−9m
５    半径4.499×10−9mの球体の表面積＝4π×(4.499×10−9m)2＝2.542×10−16m2
６    半径4.499×10−9mの球体の表面積×0.04＝2.542×10−16m2×0.04＝1.017×10−17 m2
７    1.017×10−17m2の長さ＝3.189×10-9m
８    電子のラブの集団の球体の大きさの何倍の大きさか。3.189×10-9m÷(5.009×10−12m)＝6.367×102倍の長さです。
【図１】
2017005933.tif 000023